(57)【要約】【課題】流通時にコンパクトな形態とできる、フィルター機能を有する袋を提供することを課題とする。【解決手段】少なくとも一部が通水・通気性を有するシートＳにより形成されたものであって、伸縮性を有する開口部を備えたフィルター機能を有する袋１において、開口部には、第１ギャザー部２１ａと第２ギャザー部２１ｂとからなる帯状のギャザー部２１が設けられたものであり、この両ギャザー部２１ａ，２１ｂには、長手方向に沿うようにして伸縮部材２２が設けられており、流通や保管の際においては、シートＳが両ギャザー部２１ａ，２１ｂの間に折り込まれた形態とされ、使用の際においては、シートＳが両ギャザー部２１ａ，２１ｂの間から引き出され、広がった形態とされたフィルター機能を有する袋を提供する。【選択図】          図１
2005247351.tif 000002
【特許請求の範囲】
【請求項１】
少なくとも一部が通水・通気性を有するものであり、所定の大きさの固形物を選択して捕捉可能なシート（Ｓ）により形成されたものであって、伸縮性を有する開口部（２）を備えたフィルター機能を有する袋（１）において、
開口部（２）の全周にわたって帯状のギャザー部（２１）が設けられたものであり、
このギャザー部（２１）は、対向する第１ギャザー部（２１ａ）と第２ギャザー部（２１ｂ）とからなり、両ギャザー部（２１ａ，２１ｂ）の両端部（２１ｃ，２１ｃ）同士が接続されており、
上記の両ギャザー部（２１ａ，２１ｂ）には、長手方向に沿うようにして伸縮部材（２２）が設けられており、
流通や保管の際においては、シート（Ｓ）が両ギャザー部（２１ａ，２１ｂ）の間に折り込まれた形態とされ、
使用の際においては、シート（Ｓ）が両ギャザー部（２１ａ，２１ｂ）の間から引き出され、広がった形態とされることを特徴とするフィルター機能を有する袋。
【請求項２】
上記の両ギャザー部（２１ａ，２１ｂ）の間に折り込まれたシート（Ｓ）が、重ね合わされて波状に折り返された形態とされ、この形態が、上記の伸縮部材（２２）によって維持されることを特徴とする、請求項１に記載のフィルター機能を有する袋。
【請求項３】
両ギャザー部（２１ａ，２１ｂ）の短手寸法に比べ、両ギャザー部（２１ａ，２１ｂ）の間に折り込まれた状態における、シート（Ｓ）の短手寸法の方が等しいか小さいことを特徴とする、請求項１または２に記載のフィルター機能を有する袋。
【請求項４】
少なくとも一部が通水・通気性を有するものであり、所定の大きさの固形物を選択して捕捉可能な長方形のシート（Ｓ）が、一方の辺（Ｓ１）に沿って交互に折り返されることにより、連続する細長い折畳片（Ｓ２）が形成されて折り畳まれる工程と、
上記のように折り畳まれたシート（Ｓ）における、表面側の折畳片（Ｓ２）と裏面側の折畳片（Ｓ２）の長手方向に沿うようにして、伸縮部材（２２）が取り付けられることにより、ギャザー部（２１ａ，２１ｂ）が形成される工程と、
長手方向における所定の間隔を置いて、折り畳まれた状態の折畳片（Ｓ２）同士が、厚み方向に一体となるように接着される工程とを有することを特徴とする、フィルター機能を有する袋の製造方法。
【発明の詳細な説明】
【技術分野】
【０００１】
本願発明は、一般家庭の水回りにおける水切袋や、換気扇・扇風機用のフードとして用いられるフィルター機能を有する袋に関するものである。
【背景技術】
【０００２】
【特許文献１】特開２００２−２２０１０１号公報
【０００３】
不織布など、通水・通気性を有するものであり、布目や網目に対応する所定の大きさの固形物を選択して捕捉可能なシートを用いて形成された、フィルター機能を有する袋は、台所など、一般家庭の水回りにおける水切袋や、換気扇・扇風機用のフードとして広く用いられている。
【０００４】
このフィルター機能を有する袋の一例として、本願出願人による、特許文献１に記載の発明に係る水切袋がある。これは、平面上のシートの側辺を接着して形成した袋に排水用の小孔を設けたものであって、水分を含んだ生ごみなどの内容物を袋の内部に投入した際、水分を小孔から排出し、一方、小孔よりも大きな固形物は袋内に残留し、これにより内容物の水切りをできるものである。
【発明の開示】
【発明が解決しようとする課題】
【０００５】
しかし、上記従来の水切袋は、数十枚を重ねて包装した状態で流通されるものであるが、この包装の際に、広げた状態の袋を二つ折りや四つ折りにする程度のものであったため、流通時の形態がコンパクトなものとは言い難かった。
【０００６】
本願発明はこのことに鑑み、流通時にコンパクトな形態とできる、フィルター機能を有する袋およびその製造方法を提供することを課題とする。
また、折り込まれた状態から容易に広げることができる、フィルター機能を有する袋およびその製造方法を提供することを課題とする。
【課題を解決するための手段】
【０００７】
上記課題を解決するために、本願の請求項１に記載の発明は、少なくとも一部が通水・通気性を有するシートＳにより形成されたものであって、伸縮性を有する開口部２を備えたフィルター機能を有する袋１において、開口部２の全周にわたって帯状のギャザー部２１が設けられたものであり、このギャザー部２１は、対向する第１ギャザー部２１ａと第２ギャザー部２１ｂとからなり、両ギャザー部２１ａ，２１ｂの両端部２１ｃ，２１ｃ同士が接続されており、上記の両ギャザー部２１ａ，２１ｂには、長手方向に沿うようにして伸縮部材２２が設けられており、流通や保管の際においては、シートＳが両ギャザー部２１ａ，２１ｂの間に折り込まれた形態とされ、使用の際においては、シートＳが両ギャザー部２１ａ，２１ｂの間から引き出され、広がった形態とされることを特徴とするフィルター機能を有する袋を提供する。
【０００８】
また、本願の請求項２に記載の発明は、上記の両ギャザー部２１ａ，２１ｂの間に折り込まれたシートＳが、重ね合わされて波状に折り返された形態とされ、この形態が、上記の伸縮部材２２によって維持されることを特徴とする、請求項１に記載のフィルター機能を有する袋を提供する。
【０００９】
また、本願の請求項３に記載の発明は、両ギャザー部２１ａ，２１ｂの短手寸法に比べ、両ギャザー部２１ａ，２１ｂの間に折り込まれた状態における、シートＳの短手寸法の方が等しいか小さいことを特徴とする、請求項１または２に記載のフィルター機能を有する袋を提供する。
【００１０】
また、本願の請求項４に記載の発明は、少なくとも一部が通水・通気性を有するものであり、所定の大きさの固形物を選択して捕捉可能な長方形のシートＳが、一方の辺Ｓ１に沿って交互に折り返されることにより、連続する細長い折畳片Ｓ２が形成されて折り畳まれる工程と、上記のように折り畳まれたシートＳにおける、表面側の折畳片Ｓ２と裏面側の折畳片Ｓ２の長手方向に沿うようにして、伸縮部材２２が取り付けられることにより、ギャザー部２１ａ，２１ｂが形成される工程と、長手方向における所定の間隔を置いて、折り畳まれた状態の折畳片Ｓ２同士が、厚み方向に接着される工程とを有することを特徴とする、フィルター機能を有する袋の製造方法を提供する。
【発明の効果】
【００１１】
本願発明の実施にあっては、流通や保管の際において、シートＳが両ギャザー部２１ａ，２１ｂの間に折り込まれるため、コンパクトな形態とでき、場所をとらないものとできて有利である。
また、折り込まれた状態から容易に広げることができるため、三角コーナーＣや流し台の排水口や浴室の排水口など、一般家庭の水回りにおける水切袋として、また、換気扇・扇風機用のフードとして最適である。
【発明を実施するための最良の形態】
【００１２】
以下、図面に基づき本願発明の実施の形態の一例をとりあげて説明する。図１は本例に係る袋を折り畳んだ状態を示す斜視図であり、図２は本例に係る袋を広げた状態を示す斜視図である。図３は本例に係る袋の使用の一例を示す斜視図であり、図４は本例に係る袋の製造方法を示す説明図である。
【００１３】
本願発明に係る袋１は、少なくとも一部が通水・通気性を有するシートＳにより形成されている。本例においては、このシートＳの素材として不織布が用いられており、袋１の全体が通水・通気性を有するものである。
ここで、この不織布の素材として、化学繊維を主体にしたものとしては、下記の材料を例示できる。
１）ポリプロピレンとポリエステルとの複合材料
２）ポリエチレンとポリエステルとの複合材料
３）ポリエチレンとＰＥＴとの複合材料
４）ビニロンとポリエステルとの複合材料
５）ポリプロピレン単体材料
また、パルプ系のものとしては、下記の材料を例示できる。
１）ケナフと木材パルプと化学繊維との複合材料
２）天然パルプとＰＥＴとの複合材料
上記にあげた素材はほんの一例であって、シートＳの不織布の素材はこれに限られるものではなく、種々のものを用いることができる。また、不織布以外に、通水・通気性を有しないシートに多数の小孔を設けたものや、網状のシートを用いたものとし、小孔や網目に対応する所定の大きさの固形物を選択して捕捉可能なものとしても良く、種々のシートが使用可能である。
【００１４】
上記のシートＳを折り畳んで接着することにより、図１に示すように、シートＳが折り込まれた棒状の形態とされる。そして、この棒状のものからシートＳを、後述する折り畳まれた状態の折畳片Ｓ２を相互に引き離す方向、つまり図示上下方向Ｔに引っ張ることにより広げると、図２に示すような袋状の形態となる。
この広げられた状態の袋１には開口部２を備え、この開口部２の全周にわたって、伸縮性を有する帯状のギャザー部２１が設けられることにより、開口部２が伸縮性を有するものとなっており、図３に示すように、三角コーナーＣなどの取り付け対象物に開口部２を引っ掛けることにより、袋１を取り付けることができる。なお、この袋１の具体的な製造方法については、後に詳述する。
【００１５】
本例におけるギャザー部２１は、開口部２を取り巻くようにして対向する第１ギャザー部２１ａと第２ギャザー部２１ｂとからなり、両ギャザー部２１ａ，２１ｂの両端部２１ｃ、２１ｃが接着されて接続され、環状となっている。第１ギャザー部２１ａと第２ギャザー部２１ｂとは、本例のように、それぞれ別々である帯状の部分を接続したものとしても良いし、第１ギャザー部２１ａと第２ギャザー部２１ｂとが当初から一体である環状のものであっても良い。
なお、ギャザー部２１は、袋１を構成するシートＳと一体に形成しても良いし、別々に形成しても良い。ちなみに、本例の場合は一体に形成されている。
【００１６】
上記の両ギャザー部２１ａ，２１ｂには、図１に示すように、長手方向に沿うようにして伸縮部材２２が取り付けられている。
この袋１の流通や保管の際においては、シートＳが両ギャザー部２１ａ，２１ｂの間に、重ね合わされて波状に折り返され、折り込まれた形態とされている。一方、この袋１の使用の際においては、シートＳが両ギャザー部２１ａ，２１ｂの間から引き出されて、図２に示すように広がった形態とされる。そして、このようにして広げられた袋１を、図３に示すように、ギャザー部２１を引っ掛けることによって三角コーナーＣに取り付けたり、流し台の排水口や浴室の排水口などに取り付けるなどして、一般家庭の水回りにおける水切袋として使用できる。また、図示はしないが、換気扇・扇風機に被せるようにして、気流によって運ばれる埃などが、羽根などに付着するのを防止するためのフードとしても使用できる。
【００１７】
次に、本例におけるフィルター機能を有する袋１の製造方法について述べる。
この袋１に用いるシートＳの素材は上記に示したように不織布であり、広げた状態の形状は、図４（Ａ）に示したように、辺長Ｌ１の長辺Ｓ１と辺長Ｌ２の短辺Ｓ３を有する長方形である。なお、本願発明において用いるシートＳの形状は、本例のような長方形に限定されるものではないが、後述するように細長く、整然と折り畳むためには、長方形や正方形とすることが望ましい。
【００１８】
なお、この広げた状態のシートＳにおける長辺Ｓ１の辺長Ｌ１を大きく形成することにより、袋１の開口部２を大きくできる。また、短辺Ｓ３の辺長Ｌ２を大きく形成することにより、袋１の深さを大きくできる。また、下記の折畳片寸法Ｌ３を大きくしたり小さくしたりすることで、折畳片Ｓ２の寸法あるいは折り畳み数を調整可能である。よって、これらの各寸法Ｌ１〜Ｌ３を調整することにより、三角コーナーＣなどの取り付け対象物の形態に応じ、また、シートＳが折り込まれた棒状の形態を所望の形態とするために、種々に変更が可能である。
【００１９】
図４（Ａ）に横向きの二点鎖線で示したように、この長方形のシートＳが、長辺Ｓ１に沿う方向に、所定間隔（折畳片寸法）Ｌ３を置いて、交互に山折と谷折とがなされて折り返されることにより、図４（Ｂ）に示すように、短辺方向に連続する細長い折畳片Ｓ２が形成され、細長い棒状に折り畳まれる。なお、このように折り畳まれた状態における表面側の折畳片Ｓ２と裏面側の折畳片Ｓ２が、後述のようにして伸縮部材２２が取り付けられることにより、第１ギャザー部（表面側）２１ａと第２ギャザー部（裏面側）２１ｂとからなるギャザー部２１となる。
【００２０】
次に、上記のように折り畳まれた状態のシートＳが、長手方向において所定の間隔を置いた両端部２１ｃ，２１ｃにて、折り畳まれた状態の折畳片Ｓ２同士が一体となるように、厚み方向に接着されることにより、図４（Ｃ）に示すように、一まとめの形態とされる。本例においては、この接着はヒートシールによりなされる。
【００２１】
そして図４（Ｃ）に示すように、一まとめとされた状態のシートＳにおける表面側の折畳片Ｓ２と裏面側の折畳片Ｓ２における中心位置２１ｄに、長手方向に沿うようにして伸縮部材２２がヒートシールにより接着され、第１ギャザー部２１ａと第２ギャザー部２１ｂとが形成される。
この際の折畳片Ｓ２と伸縮部材２２との関係は、図４（Ｃ）に示すように、折畳片Ｓ２のうち、折り畳まれた状態において表面側と裏面側とに配位される露出折畳片Ｓ２ａの表面に伸縮部材２２を配位しても良いし、図５に示すように、折り畳まれた状態において内部に配位される内部折畳片Ｓ２ｂと露出折畳片Ｓ２ａとの間に伸縮部材２２を挟み込むようにして配位しても良い。また、折畳片Ｓと伸縮部材２２との接着は全体的になしても良いし、断続的になしても良い。
【００２２】
この伸縮部材２２の素材としては、ゴムが最も一般的なものとしてあげられるが、本願発明はこれに限定されるものではなく、種々の伸縮性を有する素材が採用できる。また、伸縮部材２２の形態としても、本例のような糸状のものに限られるものではなく、帯状のものとしたり、糸状のものを複数並列にシートＳ上に配位しても良く、種々の形態で実施が可能である。
【００２３】
このようにして伸縮部材２２が取り付けられたことにより、上記のように畳まれた状態のシートＳは、伸縮部材２２が縮むために長手方向に圧縮される。これにより、重ねられた折畳片Ｓ２が波状に折り返されて折り込まれた形態となる。
ただし、ここで露出折畳片Ｓ２ａと伸縮部材２２とは上記のように接着されているため、図６に示すように、露出折畳片Ｓ２ａのうち伸縮部材２２に接着された部分については伸縮部材２２に沿って直線状となる。
そして伸縮部材２２の付勢により、図６に示すような、折畳片Ｓ２が波状に折り返されて折り込まれた形態が固定され、シートＳが人為的に引き出されて袋状とされるまで形態が維持される。
なお、本例においては両ギャザー部２１ａ，２１ｂの短手寸法よりも、両ギャザー部２１ａ，２１ｂ間に折り込まれた状態における折畳片Ｓ２の短手寸法の方が等しいか、あるいは小さくなるようにされているため、両ギャザー部２１ａ，２１ｂの幅に合わせて、シートＳをコンパクトにまとめることができる。
【００２４】
なお、上記の製造方法は一例を示したものであって、本例のものに限定されるものではなく、順序の変更や製造途中における形態の変更が可能である。
例えば、図７（Ａ）に示したような長尺のシートＳを用い、長尺の状態のまま、図７（Ｂ）に示したように、同じく長尺の伸縮部材２２を取り付け、長手方向に引っ張りつつ、図７（Ｃ）に示すように、ギャザー部２１の長手方向の両端部２１ｃ，２１ｃに相当する部分を、長尺のままヒートシールにより形成し、その後個々にカットして、図１に示すような形態としても良い。
【産業上の利用可能性】
【００２５】
本願発明に係るフィルター機能を有する袋１は、上記に説明した水切袋や換気扇・扇風機用のフード以外にも、所定の大きさの固形物を選択して捕捉可能なフィルターとしての
機能を持つ袋として幅広く利用できる。
【図面の簡単な説明】
【００２６】
【図１】本例の袋を折り畳んだ状態を示す斜視図である。
【図２】本例の袋を広げた状態を示す斜視図である。
【図３】本例の袋の使用の一例を示す斜視図である。
【図４】本例の袋の製造方法の一例を示す説明図である。
【図５】折畳片と伸縮部材との関係を示す説明図である。
【図６】本例の袋を折り畳んだ状態を示す側面図である。
【図７】本例の袋の製造方法の他の一例を示す説明図である。
【符号の説明】
【００２７】
１      （フィルター機能を有する）袋
２      開口部
２１    ギャザー部
２１ａ  第１ギャザー部
２１ｂ  第２ギャザー部
２１ｃ  ギャザー部の両端部
２２    伸縮部材、ゴム
Ｓ      シート
Ｓ１    シートの一方の辺、長辺
Ｓ２    シートの折畳片
【図１】
2005247351.tif 000003
【図２】
2005247351.tif 000004
【図３】
2005247351.tif 000005
【図４】
2005247351.tif 000006
【図５】
2005247351.tif 000007
【図６】
2005247351.tif 000008
【図７】
2005247351.tif 000009